(57)【特許請求の範囲】
【請求項１】
イヤーパッドと、該イヤーパッドを支持するバッフル板との間の一部領域に設けられ、
少なくとも１つの折り曲げ部が形成されることにより折り曲げ可能に形成され、
前記折り曲げ部から折り曲げることにより前記イヤーパッドと前記バッフル板との間の距離が変更されることを特徴とするイヤーパッド調整部材。
【請求項２】
前記折り曲げ部は、所定の折り曲げ線に沿って形成された溝部であることを特徴とする請求項１に記載されたイヤーパッド調整部材。
【請求項３】
請求項１または請求項２に記載されたイヤーパッド調整部材を備えるヘッドホンであって、
音波を放射するヘッドホンユニットと、
前記ヘッドホンユニットを支持する前記バッフル板と、
前記バッフル板の一面側において前記ヘッドホンユニットの周りに取り付けられた前記イヤーパッドとを備え、
前記イヤーパッドと前記バッフル板との間の一部領域において、前記イヤーパッド調整部材により前記イヤーパッドと前記バッフル板との間の距離が変更されることを特徴とするヘッドホン。
【請求項４】
前記バッフル板はイヤーパッド調整部材取付部を備え、
前記イヤーパッド調整部材は、前記イヤーパッド調整部材取付部において着脱自在であることを特徴とする請求項３に記載されたヘッドホン。
【請求項５】
前記イヤーパッド調整部材取付部は複数に分割されており、各前記イヤーパッド調整部材取付部においてサイズの異なるイヤーパッド調整部材が着脱自在に配置できることを特徴とする請求項４に記載されたヘッドホン。
【請求項６】
請求項１または請求項２に記載されたイヤーパッド調整部材を備えるイヤーマフであって、
前記バッフル板と、前記バッフル板の一面側に取り付けられた前記イヤーパッドとを備え、
前記イヤーパッドと前記バッフル板との間の一部領域において、前記イヤーパッド調整部材により前記イヤーパッドと前記バッフル板との間の距離が変更されることを特徴とするイヤーマフ。
【請求項７】
前記バッフル板はイヤーパッド調整部材取付部を備え、
前記イヤーパッド調整部材は、前記イヤーパッド調整部材取付部において着脱自在であることを特徴とする請求項６に記載されたイヤーマフ。
【請求項８】
前記イヤーパッド調整部材取付部は複数に分割されており、各前記イヤーパッド調整部材取付部においてサイズの異なる前記イヤーパッド調整部材が着脱自在に配置できることを特徴とする請求項７に記載されたイヤーマフ。
【発明の詳細な説明】
【技術分野】
【０００１】
本発明は、特に、耳全体を覆う密閉型のヘッドホン等に用いるイヤーパッド調整部材、及びそのイヤーパッド調整部材を用いたヘッドホン並びにイヤーマフに関する。
【背景技術】
【０００２】
例えば、ヘッドホンにはイヤーパッドにより耳全体を覆う密閉型のものがある。図４に示すように密閉型のヘッドホン４０には、円環状のバッフル板２の中央開口部分にヘッドホンユニット１０が搭載され、バッフル板２及びヘッドホンユニット１０を覆うように前記バッフル板２の外側面にハウジング３が取り付けられている。
また、バッフル板２の内側面の周縁部には、円環状のイヤーパッド４が装着されている。イヤーパッド４は、頭部５０に対して所定の高さ（厚み）を持っている。このイヤーパッド４には、密閉型（耳覆い型）のヘッドホン４０を構成するために遮音性の高いものが用いられる。
このような密閉型のヘッドホン４０によれば、前記イヤーパッド４で使用者の耳５１を囲むことによって、ヘッドホンユニット１０から発生した音波が耳に加えられることになる。
【０００３】
しかしながら、前記密閉型のヘッドホン４０にあっては、ヘッドホン４０を頭部に装着した際、イヤーパッド４と頭部５０との間に隙間があくことがある。この隙間から音波が漏洩すると、低い周波数帯域の音圧が低下する。特に図５に示すように、顎関節部のくぼみ５２に対応する領域３０（ハッチング領域）では、イヤーパッド４の単位面積あたりの圧力が低下する。そのため、音波の漏洩が発生しやすくなるという課題があった。
前記課題を解決するものとして、特許文献１には、イヤーパッドにより遮音性を高めるために押圧によって変化したパッドの適宜形状を維持するヘッドホンが開示されている。この特許文献１に開示されるヘッドホンは、イヤーパッド内部の流動物質の粘性を電気的に変化させることによって、パッドの適宜形状を維持するように構成されている。
【先行技術文献】
【特許文献】
【０００４】
【特許文献１】特開２００８−１９３６０９号公報
【発明の概要】
【発明が解決しようとする課題】
【０００５】
しかしながら、特許文献１に開示されるヘッドホンにあっては、イヤーパッド内部の流動物質の粘性を電気的に変化させるための制御手段や前記制御手段を動作させるための電源が必要となるため、コストが高くなるという課題があった。
また、顎関節部のくぼみには個人差があるため、万人にフィットするイヤーパッド４を実現することが難しいという課題があった。
【０００６】
本発明は、前記した点に着目してなされたものであり、耳全体を覆うヘッドホン等に用いるイヤーパッド調整部材であって、個々の使用者に対応して個人差無く、使用者の耳を囲んで密閉することのできるイヤーパッドの調整部材、及びそのイヤーパッド調整部材を有するヘッドホン並びにイヤーマフを提供することを目的とする。
【課題を解決するための手段】
【０００７】
前記した課題を解決するために、本発明に係るイヤーパッド調整部材は、イヤーパッドと、該イヤーパッドを支持するバッフル板との間の一部領域に設けられ、少なくとも１つの折り曲げ部が形成されることにより折り曲げ可能に形成され、前記折り曲げ部から折り曲げることにより前記イヤーパッドと前記バッフル板との間の距離が変更されることに特徴を有する。
尚、前記折り曲げ部は、所定の折り曲げ線に沿って形成された溝部であることが望ましい。
このような構成によれば、耳を覆うイヤーパッドにおける一部領域、例えば、使用者の顎関節部のくぼみに対応する領域に、バッフル板との距離寸法を任意に設定可能な本発明のイヤーパッド調整部材を設けることができる。
これにより、使用者は、自分の顎関節部のくぼみの形状に応じて、その領域におけるバッフル板とイヤーパッドとの距離寸法を任意に設定し、イヤーパッドと前記顎関節部のくぼみとの隙間を埋めるよう調整することができる。
即ち、個々の使用者に対応して個人差無く、出力される音声の外部への漏れを防止することができる。
【０００８】
また、前記した課題を解決するために、本発明に係るヘッドホンは、前記イヤーパッド調整部材を備えるヘッドホンであって、音波を放射するヘッドホンユニットと、前記ヘッドホンユニットを支持する前記バッフル板と、前記バッフル板の一面側において前記ヘッドホンユニットの周りに取り付けられた前記イヤーパッドとを備え、前記イヤーパッドと前記バッフル板との間の一部領域において、前記イヤーパッド調整部材により前記イヤーパッドと前記バッフル板との間の距離が変更されることに特徴を有する。
尚、前記バッフル板はイヤーパッド調整部材取付部を備え、前記イヤーパッド調整部材は、前記イヤーパッド調整部材取付部において着脱自在であることが望ましい。
また、前記イヤーパッド調整部材取付部は複数に分割されており、各前記イヤーパッド調整部材取付部においてサイズの異なるイヤーパッド調整部材が着脱自在に配置できることが望ましい。
【０００９】
また、前記した課題を解決するために、本発明に係るイヤーマフは、前記イヤーパッド調整部材を備えるイヤーマフであって、前記バッフル板と、前記バッフル板の一面側に取り付けられた前記イヤーパッドとを備え、前記イヤーパッドと前記バッフル板との間の一部領域において、前記イヤーパッド調整部材により前記イヤーパッドと前記バッフル板との間の距離が変更されることに特徴を有する。
尚、前記バッフル板はイヤーパッド調整部材取付部を備え、前記イヤーパッド調整部材は、前記イヤーパッド調整部材取付部において着脱自在であることが望ましい。
また、前記イヤーパッド調整部材取付部は複数に分割されており、各前記イヤーパッド調整部材取付部においてサイズの異なる前記イヤーパッド調整部材が着脱自在に配置できることが望ましい。
【００１０】
このように構成されたヘッドホン並びにイヤーマフによれば、耳を覆うイヤーパッドにおける一部領域、例えば、使用者の顎関節部のくぼみに対応する領域に、バッフル板との距離寸法を任意に設定可能な前記イヤーパッド調整部材を設けることができる。
これにより、使用者は、自分の顎関節部のくぼみの形状に応じて、その領域におけるバッフル板とイヤーパッドとの距離寸法を任意に設定し、イヤーパッドと前記顎関節部のくぼみとの隙間を埋めるよう調整することができる。
即ち、個々の使用者に対応して個人差無く、出力される音声の外部への漏れを防止することができる。
【発明の効果】
【００１１】
耳全体を覆うヘッドホン等に用いるイヤーパッド調整部材であって、個々の使用者に対応して個人差無く、使用者の耳を囲んで密閉することのできるイヤーパッドの調整部材、及びそのイヤーパッド調整部材を有するヘッドホン並びにイヤーマフを得ることができる。
【図面の簡単な説明】
【００１２】
【図１】図１は、本発明に係るイヤーパッド調整部材を用いたヘッドホンの断面図である。
【図２】図２は、図１のヘッドホンの状態の異なる断面図である。
【図３】図３（ａ）、図３（ｂ）は、図１のヘッドホンに設けられるイヤーパッド調整部材の取り付け位置を模式的に示す正面図である。
【図４】図４は、従来のヘッドホンの断面図である。
【図５】図５は、イヤーパッドと顎関節部のくぼみとの隙間が生じる領域を模式的に示す正面図である。
【発明を実施するための形態】
【００１３】
以下、本発明の実施の形態を図面に基づき説明する。図１、図２は、本発明に係るイヤーパッド調整部材を用いたヘッドホンの断面図である。
尚、本実施の形態においては、ボイスコイルの振動により振動板を駆動させるダイナミックヘッドホンを例に説明するが、それに限らず、その他の駆動方式、例えばコンデンサ型のヘッドホンにも適用することができる。
また、以下の説明においては、既に図４に示した従来のヘッドホンが有する部材と同様の部材については、同じ符号を用いるものとする。
【００１４】
図１、図２に示すように、ヘッドホン１は、電気音響変換器であるヘッドホンユニット１０を備える。ヘッドホンユニット１０は、振動板１１、磁気回路部１２を含んで構成されている。ヘッドホンユニット１０において、図示しない音声再生機器からボイスコイル１３に音声信号が電流として通電されることにより、振動板１１が振動してスピーカとして動作する。このようにして、ヘッドホンユニット１０から音声が放音される。
【００１５】
また、ヘッドホン１は、ヘッドホンユニット１０を支持する環状のバッフル板２を有する。バッフル板の一方の面側には、ヘッドホン装着の際に聴者の耳部に宛がわれるイヤーパッド４が接合されている（即ちバッフル板２によりイヤーパッド４が支持される）。前記イヤーパッド４は、表皮４ａと、その内側に詰められたスポンジ素材の詰め部材４ｂとからなる。
【００１６】
また、前記イヤーパッド４と前記バッフル板２とが円環状に沿って接合される領域のうち、一部の領域にイヤーパッド調整部材５が設けられている。具体的には、イヤーパッド調整部材５は、図５に示したような顎関節部のくぼみ５２に対応する領域３０（ハッチング領域）であり、バッフル板２とイヤーパッド４との間に設けられる。
このイヤーパッド調整部材５は、その設置領域におけるバッフル板２とイヤーパッド４との間の距離を任意に変更し、イヤーパッド４と顎関節部のくぼみ５２との隙間を埋めるためのものである。
【００１７】
前記イヤーパッド調整部材５は、例えば、図５の領域３０（ハッチング領域）の周方向長さをカバーする長さの円弧状の金属板により形成される。その径方向の一端側がイヤーパッド４の裏面側（領域３０のみ）に固定され、また、前記径方向の他端側はバッフル板２に固定される。
【００１８】
また、前記イヤーパッド調整部材５の前記イヤーパッド４との境界線６と、前記バッフル板２との境界線７と、径方向の中央から長手方向に延びる折り曲げ線８には、折り曲げ溝（インテグラルヒンジ）がそれぞれ形成されている。イヤーパッド調整部材５を構成する金属板は、前記折り曲げ溝の部分で薄肉となることにより使用者の指先から加えられる外力によって折り曲げ可能な程度の可塑性を有する。そのためイヤーパッド調整部材５は、前記境界線６、７及び折り曲げ線８を境に折り曲げ可能な構成となされている（即ち、境界線６，７及び折り曲げ線８が折り曲げ部となる）。
【００１９】
使用者は、このように構成されたヘッドホン１を頭部５０にかけた際、例えばバッフル板２からイヤーパッド４を離すときには、イヤーパッド調整部材５を内側から押して図２のような状態にできる。また、バッフル板２とイヤーパッド４の間隔を小さくするとき、使用者は前記イヤーパッド調整部材５を外側から押すことによって、ヘッドホン１を図１のような状態とすることができる。
尚、イヤーパッド調整部材５を折り曲げることによって、バッフル板２とイヤーパッド４との間に弾力性を持たせ、その弾力性を利用してイヤーパッド４を顎関節部のくぼみ側に押し付けるようにしてもよい。
【００２０】
また、イヤーパッド調整部材５は、複数のサイズのものが適宜選択されるようにしてもよい。例えば、ヘッドホン１の表皮４ａが取り外し可能になっていて、かつ、バッフル板２の領域３０に取付溝（イヤーパッド調整部材取付部）が形成されている場合、使用者によってイヤーパッド調整部材５は交換可能である。このとき、イヤーパッド調整部材５が複数のサイズから選択されるようにされていれば、より密着感の高いヘッドホンを提供することが可能になる。
【００２１】
以上のように本発明に係る実施の形態によれば、耳を覆うイヤーパッド４における使用者の顎関節部のくぼみ５２に対応する領域３０に、バッフル板２との距離寸法を任意に設定可能なイヤーパッド調整部材５を設けた構成となされる。
これにより、使用者は、自分の顎関節部のくぼみ５２の形状に応じて、その領域におけるバッフル板２とイヤーパッド４との距離寸法を任意に設定し、イヤーパッド４と前記顎関節部のくぼみ５２との隙間を埋めるよう調整することができる。
即ち、個々の使用者に対応して個人差無く、出力される音声の外部への漏れを防止することができる。
【００２２】
尚、前記実施の形態においては、前記イヤーパッド調整部材５は、金属板により形成され、境界線６，７、及び折り曲げ線８に折り曲げ溝を形成することによって折り曲げ可能な構成としたが、本発明にあっては、その形態に限定されるものではない。
例えば、イヤーパッド調整部材５を形成する材料として、金属材料以外に、樹脂材料を用いてもよい。また、境界線６，７及び折り曲げ線８を折り曲げ可能な構成とするために、前記のような折り曲げ溝（インテグラルヒンジ）ではなく、例えば平蝶番のような構成としてもよい。
また、前記イヤーパッド調整部材５において折り曲げ可能とする箇所や数は、前記境界線６，７及び折り曲げ線８に限定されるものではなく、設計時に適宜設定可能である。
【００２３】
また、前記イヤーパッド調整部材５は、図５に示した領域３０において、図３（ａ）に示すように１個の部材として配置されてもよく、或いは図３（ｂ）に示すように複数個に分割されて配置されてもよい。複数のイヤーパッド調整部材５は、様々なサイズのものから使用者によって適宜選択されてもよい。このような構成は、領域３０内において、部分毎にサイズの微調整を可能にする。このことにより、使用者は密着感の高いヘッドホンを容易に得ることができる。このとき、バッフル板２における取付溝（イヤーパッド調整部材取付部）は、領域３０において、複数に分割されていると都合がよい。
【００２４】
また、前記実施の形態にあっては、本発明に係るイヤーパッド調整部材をヘッドホンのイヤーパッドに適用する例を説明したが、本発明にあっては、それに限定されるものではなく、前記イヤーパッド調整部材をイヤーマフのイヤーパッドに適用する構成としてもよい。
【符号の説明】
【００２５】
１            ヘッドホン
２            バッフル板
３            ハウジング
４            イヤーパッド
４ａ          表皮
４ｂ          詰め部材
５            イヤーパッド調整部材
６            境界線
７            境界線
８            折り曲げ線
１０          ヘッドホンユニット
３０          顎関節部のくぼみに対応する領域（一部領域）
５０          頭部
５１          耳
５２          顎関節部のくぼみ
【図１】
0006316692.tif 000002
【図２】
0006316692.tif 000003
【図３】
0006316692.tif 000004
【図４】
0006316692.tif 000005
【図５】
0006316692.tif 000006